(57)【要約】【課題】  内部に搭載されている冷却装置の異常を検出し、不測の事態に対処することにより安全性を確保する画像読取装置を提供する。【解決手段】  原稿に光を照射するランプ１０６と、ランプ１０６の近傍領域その他の画像読取装置内部の領域を冷却する機内冷却ファン１３１・ランプ冷却ファン１３２・駆動モータ冷却ファン１３３（以下、「冷却装置」という。）と、冷却装置その他の画像読取装置１００に搭載されている諸装置の動作を制御する画像読取装置１００において、前記画像読取装置１００に搭載されている諸装置の駆動状態を検出し、特に冷却装置の駆動状態を検出して当該駆動状態に異常が検出された場合には、冷却装置を停止するように制御される。【選択図】  図３
2006157194.tif 000002
【特許請求の範囲】
【請求項１】
原稿に光を照射する光源と、
前記光源の近傍領域その他の画像読取装置内部の領域を冷却する冷却装置と、
冷却装置その他の画像読取装置に搭載されている諸装置の動作を制御する制御手段を有する画像読取装置において、
前記諸装置の駆動状態を検出する駆動状態検出手段を有し、
前記駆動状態検出手段は前記冷却装置の駆動状態を検出し、当該駆動状態に異常が検出された場合には、前記制御手段は前記冷却装置を停止するように制御することを特徴とする画像読取装置。
【請求項２】
前記駆動状態検出手段が前記諸装置の駆動状態を検出している場合には、前記制御手段は、当該検出が終了した後に前記冷却装置を停止するように制御することを特徴とする請求項１に記載の画像読取装置。
【請求項３】
前記駆動状態検出手段により、少なくとも一つの前記冷却装置の駆動状態に異常が検出された場合には、前記制御手段は駆動状態に異常が検出されない冷却装置を一定期間駆動するように制御することを特徴とする請求項１または２に記載の画像読取装置。
【請求項４】
前記冷却装置の駆動状態に係る異常を通知する通知手段を有することを特徴とする請求項１から３の何れかに記載の画像読取装置。
【請求項５】
前記通知手段は、
前記駆動状態検出手段により駆動状態が異常と判断された冷却装置を特定する通知をすることを特徴とする請求項４に記載の画像読取装置。
【発明の詳細な説明】
【技術分野】
【０００１】
本発明は、ＣＣＤ(Charge Coupled Device)のゲイン調整機能等の諸機能を正常に発揮する冷却機構を備えた画像読取装置に関する。
【背景技術】
【０００２】
一般に、デジタル複写機、ファクシミリ、イメージスキャナ等に代表される画像処理装置には、画像読取装置が設けられる。この画像読取装置は原画像（原稿）を読み取って、これに対応するデジタル画像信号（画像データ）を生成する、いわばスキャン機能を有する。このスキャン機能を発揮するために、原画像に対応する光、特に原画像の反射光を電気信号に変換するイメージセンサを使用する。イメージセンサとしてＣＣＤを用いたものが普及している。
【０００３】
原画像の反射光の発光源にはランプが使用される。このランプは連続動作させると発熱が大きくなる。そこで発熱を一定以下に抑えるために、画像読取装置の内部に冷却ファンなどの冷却装置が適当に配置される。そしてランプは過度の発熱による火災や画像読取装置を構成する部品の変形などの障害を起こさないように設計されている。
【０００４】
しかし、当該冷却装置自身が正常に駆動しなくなった場合にはこの限りではない。つまり、冷却装置内部にて配線の断線、異物の侵入などの予測できないといった異常があって、所定の冷却効果が得られない場合には、ランプなどが配置されている特定の場所及びその近傍の温度が急激に高まること、部品が変形すること、などといった上記の障害が起こりうる。
【０００５】
なお、特許文献１〜３には画像読取装置部分の冷却効果の向上、昇温対策、冷却動作に伴うコスト対策などについて開示されている。しかし、いずれの文献においても冷却装置自身の異常により生じる諸障害を解消し得る点については開示されていない。
【特許文献１】特開２００２−７２８３１号公報
【特許文献２】特開２００３−１５２９２４号公報
【特許文献３】特許第３４０８３５２号公報
【発明の開示】
【発明が解決しようとする課題】
【０００６】
上記事情を鑑みて、本発明では内部に搭載されている冷却装置の異常を検出し、不測の事態に対処することにより安全性を確保する画像読取装置を提供することを目的とする。
【課題を解決するための手段】
【０００７】
上記目的を達成する本発明の態様は、原稿に光を照射する光源と、前記光源の近傍領域その他の画像読取装置内部の領域を冷却する冷却装置と、冷却装置その他の画像読取装置に搭載されている諸装置の動作を制御する制御手段を有する画像読取装置において、前記諸装置の駆動状態を検出する駆動状態検出手段を有し、前記駆動状態検出手段は前記冷却装置の駆動状態を検出し、当該駆動状態に異常が検出された場合には、前記制御手段は前記冷却装置を停止するように制御するものである。これにより、制御手段より冷却装置に動作指示を出しているのにもかかわらず、動作していないときにはその冷却装置を異常とみなし、動作を強制終了させることによって、安価でかつ安全な画像読取を行うことができる。
【０００８】
ここで、前記駆動状態検出手段が前記諸装置の駆動状態を検出している場合には、前記制御手段は、当該検出が終了した後に前記冷却装置を停止するように制御すると良い。これにより、冷却装置が異常となった際に、現在実施中の動作単位が終了するのを待ってから動作を終了することによって、異常による中断により障害を起こすことなく、かつ、安価で安全な画像読取を行うことができる。
【０００９】
また、前記駆動状態検出手段により、少なくとも一つの前記冷却装置の駆動状態に異常が検出された場合には、前記制御手段は駆動状態に異常が検出されない冷却装置を一定期間駆動するように制御するとよい。これにより、どれか一つの冷却装置が異常となった際に、その他の冷却装置を駆動させるようにすることによって、冷却効果の低減を補完することができ、それによって安全な画像読取装置を得ることができる。
【００１０】
そして、前記冷却装置の駆動状態に係る異常を通知する通知手段を有することを特徴とする。これにより、冷却装置の異常を検出した際に、利用者に対する通知を行うようにすることによって、特別な知識のない利用者でも異常を知ることができ、対応をとることができる。
【００１１】
このとき、前記通知手段は、前記駆動状態検出手段により駆動状態が異常と判断された冷却装置を特定する通知をすると良い。これにより、異常の発生した冷却装置を個別に記憶しておくことによって、異常に対する修理を行う際の項数を削減することができる。
【発明の効果】
【００１２】
本発明により、内部に搭載されている冷却装置の異常を検出し、不測の事態に対処することにより安全性を確保することが可能である。
【発明を実施するための最良の形態】
【００１３】
以下、本発明の画像読取装置を実施するための最良の形態を説明する。本形態の説明の際にはデジタル複写機を例に採り、本明細書と同時に提出する図面を適宜参照する。
【００１４】
図１は、本形態のデジタル複写機の外観図である。このデジタル複写機は画像読取装置１００と、操作表示部２００と、画像出力装置３００と、給紙装置４００を有して構成されている。
【００１５】
画像読取装置１００は所定の事項が記載されている原稿に光を当てることにより、その記載事項を画像とした画像データを生成する機能を有する。具体的には原稿を光に当てたときに反射される反射光を読み取り、ＣＣＤのゲイン調整機能を発揮することにより対応する電気信号に変換する。そして、この電気信号をデジタル化することにより画像データを生成する。
【００１６】
操作表示部２００は本形態のデジタル複写機の利用者による所定の入力を受け付けことができるボタンと、デジタル複写機に関する状態を表示する表示パネルを有して構成される。このボタンには数字を入力するためのボタン、複写処理を開始するためのボタンなどがある。また、表示パネルには利用者の入力内容、複写処理を行うことができる状態、複写する様式、複写枚数その他の複写処理に関する一連の内容を表示することができる。本形態では画像読取装置に搭載されている冷却装置の状態も表示する。
【００１７】
画像出力装置３００は本形態のデジタル複写機の複写処理を所定の用紙に印刷処理を行うための機構を有し、当該用紙を外部に印刷出力する機能を有する。印刷処理を行う機構としては画像データより静電潜像を形成する箇所である感光体、用紙を搬送するための搬送ローラ、用紙に塗布され、所定の色よりなるトナー、静電潜像に基づいて用紙にトナーを熱定着させるための定着機構などがある。
【００１８】
給紙装置４００は画像出力装置３００に給紙するための用紙、つまり、印刷処理され、出力される用紙を格納する装置である。用紙はサイズ別に格納されている。利用者が所望のサイズを入力すれば、そのサイズに対応する用紙が給紙装置４００から搬送ローラを通じて搬送される。
【００１９】
図２は本形態のデジタル複写機の画像読取装置１００の断面図である。また、図３は本形態のデジタル複写機の画像読取装置１００を上から見た図である。図２及び図３を参照して画像読取装置１００に関する詳細な説明をする。
【００２０】
画像読取装置１００は、シートスルー用コンタクトガラス１０１と、ブックリード用コンタクトガラス１０２、白基準板１０３、原稿上のごみを検知するごみ検知基準１０４、走行体１０５、光源としてのランプ１０６、所定方向に光を導くミラー１０７〜１０９、ＣＣＤ１１０、集光レンズ１１１、駆動用レール１１２、駆動用ベルト１１３、駆動モータ１１４、自動原稿搬送装置１２０、原稿の挿入口となる原稿台１２１、原稿を所定の位置に導く給紙コロ１２２・ガイドコロ１２３・排紙コロ１２４、原稿の排出口となる原稿回収台１２５、送風して画像読取装置１００内を冷却する機内冷却ファン１３１・ランプ冷却ファン１３２・駆動モータ冷却ファン１３３を有して構成されている。
【００２１】
走行体１０５に設置されたランプ１０６を点灯させると、その光は読み取る原稿で反射して、ミラー１０７、集光レンズ１１１を経由してＣＣＤ１１０に到達する。ＣＣＤ１１０がその光を電子データに変換することで、対象物の読取が出来るようになっている。また、走行体１０５は駆動モータ１１４および駆動用ベルト１１３によって、駆動用レール１１２に沿って動作させることができ、読取を行いたい場所に走行体１０５を移動させることが出来るようになっている。
【００２２】
画像読取装置１００では、走行体１０５をシートスルー用コンタクトガラス１０１の下に固定し、原稿台に置かれた原稿を通過させることで読み取るシートスルーモードと、原稿台ガラス上の不動の原稿の下を走行体１０５が定速で移動することで原稿を読み取るブックリードモードでの読取が可能である。
【００２３】
画像読取装置１００は、後述のＣＰＵから読取の指示を受けると、まずランプ１０６を点灯させる。ランプ１０６の点灯後、ランプ１０６の光量が安定するまで待ち、その後シェーディング動作を実施したのちに読取動作を行う。
【００２４】
ブックリードモードでは、ブックリード用コンタクトガラス１０２の下に移動する途中で白基準板１０３の読取位置に走行体１０５が達したときに白基準板１０３を読み取ることによってシェーディング補正を行い、そのままブックリード用コンタクトガラス１０２２上に置かれた原稿を走査することによって読取を行う。
【００２５】
シートスルーモードでは、原稿を読取位置に通過させる前にいったん走行体１０５を白基準板１０３の下に移動させ、白基準板１０３を読み取る事によってシェーディング補正を行い、その後シートスルー用コンタクトガラス１０１の下に走行体１０５を移動させる。その後に、原稿台１２１に置かれた原稿を給紙コロ１２２などによって、シートスルー用コンタクトガラス１０１上を通過させることによって原稿を走査して画像を形成する。
【００２６】
図４は本形態のデジタル複写機が有する諸機能を発揮するためのソフトウェアの構成を示したブロック図である。図４などを参照してデジタル複写機の動作制御に関する説明をする。
【００２７】
ソフトウェアの構成としては、各種アプリケーションなどの動作要求元からの動作要求を発行するアプリケーション層と、その発行を受けて各デバイスに動作要求を発行したり、各デバイスの動作状態を管理するコントローラ層と、コントローラ層からの要求を受けて実際の動作を行うデバイス層から構成されている。
【００２８】
アプリケーション層にはアプリケーションに係るプログラムを実行させるＲＯＭ(Read Only Memory)がある。コントローラ層には、操作表示部２００より所定の入力、画像データ、コントローラにてなされた処理に係る処理結果をフラグとして保存する情報を記憶するＲＡＭ(Read Only Memory)やＨＤＤ(Hard Disk Drive)などの記録媒体を制御するＣＰＵ(Central Processing Unit)がある。デバイス層には、スキャナに代表される画像読取装置１００、プリンタ・通信デバイスに代表される画像出力装置３００がある。例えば、操作表示部２００の読み取り開始ボタンを押すと、ＲＯＭからＣＰＵに対して画像読取要求が送られる。ＣＰＵはその画像読取要求を受けて、画像読取装置１００に対し、要求された読み取り動作を行うための演算やレジスタセットなどの読み取り準備を行うように指示する。そして、それと同時に読み取られた画像データを格納する準備として記録媒体に要求を送る。
【００２９】
その要求に対し、画像読取装置１００および記録媒体はそれぞれ読み取りが開始できる状態になった時点でコントローラ層に対し準備が完了したことをＣＰＵに通知する。ＣＰＵは両者の準備完了を受けて、画像読取装置１００に対し読み取り開始要求を発行する。画像読取装置１００はその開始要求を受けて実際の読み取りを行い、記録媒体に読み取ったデータを転送する。転送終了後、ＣＰＵは必要に応じて画像出力装置３００に出力要求を発行する。画像出力装置３００はＣＰＵからの出力要求を受けると、記録媒体に記憶された画像データを用紙に出力する。
【００３０】
画像読取装置１００が行う画像読み取り処理に関する説明とくにブックリードモードとシートスルーモードで行う画像読取処理に関する説明を図５から図７を参照して説明する。
【００３１】
図５は画像読み取り処理に関するフローチャートである。まず、画像読取装置１００による画像読取を行う（Ｓ５０１）。ここで次に読み取る原稿があれば（Ｓ５０２でＹＥＳ）再び、画像読取を行う。何も無ければ（Ｓ５０２でＹＥＳ）終了して待機状態に移る。
【００３２】
図６は、Ｓ５０１の画像読取においてブックリードモードで読み取るときの動作に関するフローチャートである。
【００３３】
この動作においてはまず、ランプ１０６が点灯し、安定するまで待つ（Ｓ６０１、Ｓ６０２）。ランプが安定したら（Ｓ６０２でＹＥＳ）、走行体１０５を白基準板１０３にまで移動させる（Ｓ６０３、Ｓ６０４）。白基準板１０３に到達したら（Ｓ６０４でＹＥＳ）シェーディング補正を行い、ブックリード用コンタクトガラス２上に置かれた原稿を走査する（Ｓ６０５、Ｓ６０６）。そして、ランプ１０６を消灯し、走行体１０５を初期位置へ移動させ、終了する（Ｓ６０７、Ｓ６０８）。
【００３４】
図７は、Ｓ５０１の画像読取においてシートスルーモードで読み取るときの動作に関するフローチャートである。
【００３５】
この動作においてはまず、ランプ１０６が点灯し、安定するまで待つ（Ｓ７０１、Ｓ７０２）。ランプが安定したら（Ｓ７０２でＹＥＳ）、走行体１０５を白基準板１０３にまで移動させる（Ｓ７０３、Ｓ７０４）。白基準板１０３に到達したら（Ｓ７０４でＹＥＳ）シェーディング補正を行い、走行体１０５を初期位置へ移動させる。（Ｓ７０５、Ｓ７０６）。そして、シートスルー用コンタクトガラス１０１上に置かれた原稿を走査した後、ランプ１０６を消灯し、終了する（Ｓ７０７、Ｓ７０８）。
【００３６】
以下、本形態の画像処理装置１００が行う冷却動作に関する説明をする。冷却動作の主体は機内冷却ファン１３１・ランプ冷却ファン１３２・駆動モータ冷却ファン１３３（以下、単に「冷却ファン」という。）であるが、これらの装置は図３にて図示した位置に配置している。冷却ファンは必要に応じて動作のＯＮ／ＯＦＦを行い、その組み合わせで画像処理装置１００の内部の温度を調節できる。図８のフローチャートを参照して冷却動作処理の説明をする。
【００３７】
機内冷却ファン１３１は所定の温度を維持するために適宜駆動しているが、ランプ１０６が点灯中、または駆動モータ１１４が駆動中であればランプ冷却ファン１３２・駆動モータ冷却ファン１３３が駆動してランプ１０６、駆動モータ１１４に向かって送風して冷却する（Ｓ８０１〜Ｓ８０３）。その後利用者が複写処理などを終了して、ランプ１０６が消灯中、または駆動モータ１１４が停止中であれば（Ｓ８０４、Ｓ８０５）、ランプ冷却ファン１３２・駆動モータ冷却ファン１３３を停止する（Ｓ８０６）。
【００３８】
このようにして、温度センサなどを設けなくても予め温度上昇が予想されるときには多くの冷却ファンを駆動させて、温度上昇を防ぐようになっている。
【００３９】
しかし逆に、冷却ファンが何らかの理由で動作出来なくなった場合には機内の温度状態を調節する手段がない。そこで、冷却ファンが実際に動作しているかどうかを検知する手段をそれぞれの冷却ファンに設け、個々の冷却ファンが動作中には冷却ファンの動作を監視し、異常を検出する。このときの冷却ファンの異常検出処理に関するフローチャートを図９に示す。
【００４０】
まず、冷却ファンの一つである冷却ファン１の駆動状況を判断する（Ｓ９０１−１）。冷却ファン１が停止中であれば（Ｓ９０１−１でＮＯ）、他の冷却ファンの駆動状況を判断する。冷却ファン１が駆動中であれば（Ｓ９０１−１でＹＥＳ）、冷却ファン１が正常に駆動しているかどうか判断する（Ｓ９０２−１）。冷却ファン１が正常に駆動していれば（Ｓ９０２−１でＹＥＳ）、他の冷却ファンの駆動状況を判断する。冷却ファン１が正常に駆動していなければ（Ｓ９０２−１でＮＯ）、冷却ファン１に対してエラーフラグをセットする（Ｓ９０３）。これにより、冷却ファン１を異常とみなし、異常処理を行う（Ｓ９０４）。
【００４１】
他の冷却ファンである冷却ファン２、…、Ｎに対しても、Ｓ９０１−１、Ｓ９０２−１と同様の処理を行う（Ｓ９０１−２、Ｓ９０２−２、…、Ｓ９０１−Ｎ、Ｓ９０２−Ｎ）。その結果、異常と判断された冷却ファンに対してはＳ９０４の異常処理を行う。
【００４２】
図１０に異常処理に関するフローチャートを示す。もし、どの冷却ファンに対しても、エラーフラグがセットされていなければ（Ｓ１００１でＮＯ）、図５の画像読み取り処理と同様の処理を行う（Ｓ１００２、Ｓ１００３）。しかし、１つでも冷却ファンに対しエラーフラグがセットされていれば（Ｓ１００１でＹＥＳ）、Ｓ１００２の画像読取を行うことなく各デバイスを緊急に停止する。
【００４３】
冷却ファンが正常に駆動しているか否かの判断は、ＣＰＵより所定の動作指示を要求し、所定の応答があるか否かで判断する。つまり、ＣＰＵは動作指示の要求と、その要求に対する応答に係る処理を行うことにより冷却ファンの駆動状態を検出していることになる。ＲＯＭにはその駆動状態を検出するためのプログラムが組み込まれている。対象の冷却ファンに対し動作指示を与えているにもかかわらず応答が無い場合には、冷却ファンが動作していないとみなし、異常と判断する。異常と判断した場合には、例えばランプ１０６や駆動モータ１１４に供給している駆動電圧をカットして読取動作を緊急停止させる。このようにして、画像読取装置のコスト削減化、かつ、安全化を図ることが出来る。
【００４４】
上記冷却動作処理において、動作が定常状態に戻るまで待ってから動作終了することが有効である。このときの冷却動作処理を図１１のフローチャートに示す。
【００４５】
機内冷却ファン１３１は所定の温度を維持するために適宜駆動しているが、ランプ１０６が点灯中、または駆動モータ１１４が駆動中であればランプ冷却ファン１３２・駆動モータ冷却ファン１３３が駆動してランプ１０６、駆動モータ１１４に向かって送風して冷却する（Ｓ１１０１〜Ｓ１１０３）。その後利用者が複写処理などを終了して、ランプ１０６が消灯中、または駆動モータ１１４が停止中であれば（Ｓ１１０４、Ｓ１１０５）、一定期間ウェイトを設けて所定時間駆動を維持する（Ｓ１１０６）。その後、ランプ冷却ファン１３２・駆動モータ冷却ファン１３３を停止する（Ｓ１１０７）。
【００４６】
電源カットするなどすれば、確実に動作が停止し安全ではある。しかし、例えば、走行体１０５を駆動させている駆動モータ１１４に供給している電圧を突然カットすると、過剰電流が流れるなどして、異常でないデバイスに逆にダメージを与え、障害を引き起こす虞がある。そこで、例えば、ブックリードモードでの読み取り中に冷却ファンの異常を検出した場合には、異常検出現在行っている画像読取までは通常どおり行い、その後のＣＰＵからの読取要求は実施しないようにする。このようにすることによって、冷却ファンが異常となっても安全で、かつ、冷却ファン以外のデバイスに不要なダメージを与えない画像読取装置を得ることができる。
【００４７】
また、冷却ファンの異常を検出した場合には、異常検出したファンの冷却効果を補完するために、他の冷却ファンを動作させることが有効である。このときの冷却動作処理を図１２のフローチャートに示す。
【００４８】
図９の異常検出処理によりにおいて、少なくとも１つの冷却ファンに対しエラーフラグがセットされれば（Ｓ１２０１でＹＥＳ）、他の冷却ファンを駆動させる（Ｓ１２０２）。エラーフラグが１つもセットされてなければ（Ｓ１２０１でＮＯ）、どの冷却ファンも正常に駆動しているということになり、その後の処理は先述した冷却動作処理と同様である（Ｓ１２０３〜１２０９）。
【００４９】
冷却ファンの異常が実際に発生した段階から検知するまでには若干の時間がかかることが多い。また、冷却ファンはすぐに停止するとは限らず、最終的に停止してしまうまでに、回転速度が低下するといった状態に陥っていた可能性がある。動作を停止すれば、それ以降大きな温度の上昇は起きないので安全ではあるが、そのまま自然に温度が下がるのを待っていると、内部の機器が温度上昇によって破壊される恐れがある。
【００５０】
そこで、例えば本形態の画像読取装置１００において、機内冷却ファン１３１が異常を検出した時には、状態に関わらず、ランプ１０６が点灯しているときしか通常は使わないランプ冷却ファン１３２を駆動させる。このようにすることによって、冷却ファンが異常となっても安全で、かつ冷却ファン以外のデバイスに不要なダメージを与えない画像読取装置を得ることができる。
【００５１】
そして、上述した冷却ファンに関する異常が発生したこと、それによって読取を終了したことを利用者に通知することが有効である。このときの冷却ファンの異常検出処理に関するフローチャートを図１３に示す。
【００５２】
まず、冷却ファンの一つである冷却ファン１の駆動状況を判断する（Ｓ１３０１−１）。冷却ファン１が停止中であれば（Ｓ１３０１−１でＮＯ）、他の冷却ファンの駆動状況を判断する。冷却ファン１が駆動中であれば（Ｓ１３０１−１でＹＥＳ）、冷却ファン１が正常に駆動しているかどうか判断する（Ｓ１３０２−１）。冷却ファン１が正常に駆動していれば（Ｓ１３０２−１でＹＥＳ）、他の冷却ファンの駆動状況を判断する。冷却ファン１が正常に駆動していなければ（Ｓ１３０２−１でＮＯ）、冷却ファン１に対してエラーフラグをセットする（Ｓ１３０３）。これにより、冷却ファン１を異常とみなし、通知処理を行う（Ｓ１３０４）。
【００５３】
他の冷却ファンである冷却ファン２、…、Ｎに対しても、Ｓ１３０１−１、Ｓ１３０２−１と同様の処理を行う（Ｓ１３０１−２、Ｓ１３０２−２、…、Ｓ１３０１−Ｎ、Ｓ１３０２−Ｎ）。その結果、異常と判断された冷却ファンに対してはＳ１３０４の通知処理を行う。
【００５４】
異常は通常起こらないものであるので、利用者は異常が発生したときに、そのときの対応方法などはわからない場合がほとんどである。そこで、この通知処理において、冷却ファンに異常が発生したことをＣＰＵに通知し、ＣＰＵは要求元に対するユーザーインターフェイス（操作表示部２００など）を通して異常の発生を通知し、その対応方法（サービスに連絡を促すなど）を示す。
【００５５】
このとき、冷却ファンの故障の個所を表示する手段を設けることが有効である。図３にも示したように冷却ファンは必ずしも一箇所に設置されているわけではない。また、これらを修理・交換する場合、装置の構成によっては冷却ファンを取り外せる状態にするために外装を外す、他の機器を取り外すなど、面倒な手順を伴うことが多い。そのため、すべての冷却ファンをチェックするには多くの手順と時間が必要となる可能性がある。
【００５６】
そこで、図１４に示したような手順で冷却ファンの異常検出を行うとよい。図１４は、冷却ファンの他の異常検出処理に関するフローチャートである。
【００５７】
まず、冷却ファンの一つである冷却ファン１の駆動状況を判断する（Ｓ１４０１−１）。冷却ファン１が停止中であれば（Ｓ１４０１−１でＮＯ）、他の冷却ファンの駆動状況を判断する。冷却ファン１が駆動中であれば（Ｓ１４０１−１でＹＥＳ）、冷却ファン１が正常に駆動しているかどうか判断する（Ｓ１４０２−１）。冷却ファン１が正常に駆動していれば（Ｓ１４０２−１でＹＥＳ）、他の冷却ファンの駆動状況を判断する。冷却ファン１が正常に駆動していなければ（Ｓ１４０２−１でＮＯ）、冷却ファン１に対してエラーフラグ１をセットする（Ｓ１４０３−１）。これにより、冷却ファン１を異常とみなし、通知処理を行う（Ｓ１４０４）。
【００５８】
冷却ファン１が正常に駆動していなければ（Ｓ１４０２−１でＹＥＳ）、他の冷却ファンである冷却ファン２、…、Ｎに対しても、Ｓ１４０１−１〜Ｓ１４０３−１と同様の処理を行う（Ｓ１４０１−２〜Ｓ１４０３−２、…、Ｓ１４０１−Ｎ〜Ｓ１４０３−Ｎ）。その結果、異常と判断された冷却ファンに対してはＳ１４０４の通知処理を行う。
【００５９】
保守担当者などが、具体的にどの冷却ファンが動作不良を起こしているかを確認するこのような機能を設けることにより、故障している冷却ファンを交換するために必要な部品を取り外すことができ、修理・交換の手間を削減することができる。
【００６０】
なお、上述した形態は本発明を実施するための最良の形態であるが、これに限定する主旨ではない。従って、本発明の要旨を変更しない範囲において種々変形することが可能である。
【産業上の利用可能性】
【００６１】
本発明の画像読取装置を搭載したデジタル複写機、ファクシミリ、イメージスキャナなどの開発が望まれる。
【図面の簡単な説明】
【００６２】
【図１】本形態のデジタル複写機の外観図である。
【図２】本形態のデジタル複写機の画像読取装置１００の断面図である。
【図３】本形態のデジタル複写機の画像読取装置１００を上から見た図である。
【図４】本形態のデジタル複写機のソフトウェアの構成を示したブロック図である。
【図５】画像読み取り処理に関するフローチャートである。
【図６】Ｓ５０１の画像読取においてブックリードモードで読み取るときの動作に関するフローチャートである。
【図７】Ｓ５０１の画像読取においてシートスルーモードで読み取るときの動作に関するフローチャートである。
【図８】冷却動作処理に関するフローチャートである。
【図９】冷却ファンの異常検出処理に関するフローチャートである。
【図１０】異常処理に関するフローチャートである。
【図１１】冷却動作処理に関する他のフローチャートである。
【図１２】冷却動作処理に関する他のフローチャートである。
【図１３】冷却ファンの他の異常検出処理に関するフローチャートである。
【図１４】冷却ファンの他の異常検出処理に関するフローチャートである。
【符号の説明】
【００６３】
１００    画像読取装置
２００    操作表示部
３００    画像出力装置
４００    給紙装置
１０１    シートスルー用コンタクトガラス
１０２    ブックリード用コンタクトガラス
１０３    白基準板
１０４    ごみ検知基準
１０５    走行体
１０６    ランプ
１０７    ミラー
１０８    ミラー
１０９    ミラー
１１０    ＣＣＤ(Charge Coupled Device)
１１１    集光レンズ
１１２    駆動用レール
１１３    駆動用ベルト
１１４    駆動モータ
１２０    自動原稿搬送装置
１２１    原稿台
１２２    給紙コロ
１２３    ガイドコロ
１２４    排紙コロ
１２５    原稿回収台
１３１    機内冷却ファン
１３２    ランプ冷却ファン
１３３    駆動モータ冷却ファン
【図１】
2006157194.tif 000003
【図２】
2006157194.tif 000004
【図３】
2006157194.tif 000005
【図４】
2006157194.tif 000006
【図５】
2006157194.tif 000007
【図６】
2006157194.tif 000008
【図７】
2006157194.tif 000009
【図８】
2006157194.tif 000010
【図９】
2006157194.tif 000011
【図１０】
2006157194.tif 000012
【図１１】
2006157194.tif 000013
【図１２】
2006157194.tif 000014
【図１３】
2006157194.tif 000015
【図１４】
2006157194.tif 000016